(57)【特許請求の範囲】
【請求項１】
少なくとも１枚のレンズ素子で構成されたレンズ群を複数有し、無限遠に合焦するズームレンズ系であって、
物体側から像側へと順に、
正のパワーを有する第１レンズ群と、
正のパワーを有する第２レンズ群と、
少なくとも２つの後続レンズ群と
を備え、
全レンズ群が、広角端から望遠端へのズーミングの際に光軸に沿って相対的に移動し、
前記第２レンズ群と前記後続レンズ群との間隔が、前記ズーミングの際及び無限遠合焦状態から近接物体合焦状態へのフォーカシングの際に変化し、
前記後続レンズ群中に開口絞りが配置され、該開口絞りよりも物体側のレンズ群にて、前記フォーカシングを行い、
前記第１レンズ群が、３枚以上のレンズ素子で構成され、
前記第１レンズ群及び前記第２レンズ群が、それぞれ少なくとも１枚の負のパワーを有するレンズ素子を含み、
以下の条件（１）、（２）及び（４）を満足する、ズームレンズ系：
０．００８＜（１／ｖｄＭＩＮ）−（１／ｖｄＭＡＸ）＜０．０２８  ・・・（１）
０．１＜｜ｍ｜／（ｆＴ−ｆＷ）＜０．４  ・・・（２）
０．２４４＜Ｄ１２Ｗ／ｆＷ＜０．４５  ・・・（４）
ここで、
ｖｄＭＩＮ：第１レンズ群を構成するレンズ素子のｄ線に対するアッベ数の中の最小値、
ｖｄＭＡＸ：第１レンズ群を構成するレンズ素子のｄ線に対するアッベ数の中の最大値、
ｍ：広角端から望遠端へのズーミングの際の、各後続レンズ群の移動量の中の最大値、  Ｄ１２Ｗ：広角端における第１レンズ群と第２レンズ群との光軸上の間隔、
ｆＴ：望遠端における全系の焦点距離、
ｆＷ：広角端における全系の焦点距離
である。
【請求項２】
開口絞りよりも像側のレンズ群にて、像ぶれを光学的に補正する、請求項１に記載のズームレンズ系。
【請求項３】
負のパワーを有するレンズ群の一部又は全体で像ぶれを光学的に補正し、該負のパワーを有するレンズ群よりも像側に、少なくとも１つの正のパワーを有するレンズ群又は少なくとも１枚の正のパワーを有するレンズ素子が配置される、請求項２に記載のズームレンズ系。
【請求項４】
以下の条件（３）を満足する、請求項１に記載のズームレンズ系：
０．２＜ｆ１／ｆ２＜２．０  ・・・（３）
ここで、
ｆ１：第１レンズ群の焦点距離、
ｆ２：第２レンズ群の焦点距離
である。
【請求項５】
請求項１に記載のズームレンズ系と、
前記ズームレンズ系が形成する光学像を受光して電気的な画像信号に変換する撮像素子を含むカメラ本体との接続が可能なレンズマウント部と
を備える、交換レンズ装置。
【請求項６】
請求項１に記載のズームレンズ系を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム。
【発明の詳細な説明】
【技術分野】
【０００１】
本発明は、ズームレンズ系、交換レンズ装置及びカメラシステムに関する。特に本発明は、いわゆるレンズ交換式デジタルカメラシステムの撮像レンズ系として好適なズームレンズ系、該ズームレンズ系を含む交換レンズ装置及びカメラシステムに関する。
【背景技術】
【０００２】
近年、レンズ交換式デジタルカメラシステムが急速に普及している。レンズ交換式デジタルカメラシステム（以下、単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有するカメラ本体と、撮像素子の受光面に光学像を形成するための撮像レンズ系を備えた交換レンズ装置とを備える。
【０００３】
レンズ交換式デジタルカメラシステムには、コンパクト型デジタルカメラに搭載されるものよりも大型の撮像素子が用いられるので、高感度で高画質な画像を撮影することができる。また、レンズ交換式デジタルカメラシステムには、フォーカシングや撮影後の画像処理が高速で、撮りたい場面に合わせて手軽に交換レンズ装置を取り替えることができる等の利点もある。さらに、光学像を変倍可能に形成するズームレンズ系を備えた交換レンズ装置は、レンズ交換をすることなく焦点距離を自在に変化させることができる点で人気がある。したがって、従来より、例えば特許文献１〜４に開示されたズームレンズ系のように、レンズ交換式デジタルカメラシステムの撮像レンズ系として利用し得るズームレンズ系が種々提案されている。
【先行技術文献】
【特許文献】
【０００４】
【特許文献１】特開２００４−０９４０５６号公報
【特許文献２】特開２００３−１０７３５３号公報
【特許文献３】特開平０４−３３８９１０号公報
【特許文献４】特開平０６−１１８３０５号公報
【発明の概要】
【発明が解決しようとする課題】
【０００５】
レンズ交換式デジタルカメラシステムには、上述した様々な利点がある一方で、コンパクト型デジタルカメラと比べると、サイズや重量が大きい。持ち運びや取り回しを容易に行うには、サイズや重量はできるだけ小さいことが好ましい。したがって、レンズ交換式デジタルカメラシステム用のズームレンズ系にも、結像性能を維持しつつ、可能な限りコンパクトで軽量であることが求められる。
【０００６】
本発明の目的は、レンズ交換式デジタルカメラシステムに好適に用いることができ、サイズが小さく軽量で、結像性能に優れたズームレンズ系を提供することである。また、本発明の他の目的は、サイズが小さく軽量な交換レンズ装置及びカメラシステムを提供することである。
【課題を解決するための手段】
【０００７】
上記目的の１つは、以下のズームレンズ系により達成される。すなわち本発明は、
少なくとも１枚のレンズ素子で構成されたレンズ群を複数有し、無限遠に合焦するズームレンズ系であって、
物体側から像側へと順に、
正のパワーを有する第１レンズ群と、
正のパワーを有する第２レンズ群と、
少なくとも２つの後続レンズ群と
を備え、
全レンズ群が、広角端から望遠端へのズーミングの際に光軸に沿って相対的に移動し、
前記第２レンズ群と前記後続レンズ群との間隔が、前記ズーミングの際及び無限遠合焦状態から近接物体合焦状態へのフォーカシングの際に変化し、
前記後続レンズ群中に開口絞りが配置され、該開口絞りよりも物体側のレンズ群にて、前記フォーカシングを行い、
前記第１レンズ群が、３枚以上のレンズ素子で構成され、
前記第１レンズ群及び前記第２レンズ群が、それぞれ少なくとも１枚の負のパワーを有するレンズ素子を含み、
以下の条件（１）、（２）及び（４）：
０．００８＜（１／ｖｄＭＩＮ）−（１／ｖｄＭＡＸ）＜０．０２８  ・・・（１）
０．１＜｜ｍ｜／（ｆＴ−ｆＷ）＜０．４  ・・・（２）
０．２４４＜Ｄ１２Ｗ／ｆＷ＜０．４５  ・・・（４）
（ここで、
ｖｄＭＩＮ：第１レンズ群を構成するレンズ素子のｄ線に対するアッベ数の中の最小値、
ｖｄＭＡＸ：第１レンズ群を構成するレンズ素子のｄ線に対するアッベ数の中の最大値、
ｍ：広角端から望遠端へのズーミングの際の、各後続レンズ群の移動量の中の最大値、  Ｄ１２Ｗ：広角端における第１レンズ群と第２レンズ群との光軸上の間隔、
ｆＴ：望遠端における全系の焦点距離、
ｆＷ：広角端における全系の焦点距離
である）
を満足する、ズームレンズ系
に関する。
【０００８】
上記目的の１つは、以下の交換レンズ装置により達成される。すなわち本発明は、
少なくとも１枚のレンズ素子で構成されたレンズ群を複数有し、無限遠に合焦し、
物体側から像側へと順に、
正のパワーを有する第１レンズ群と、
正のパワーを有する第２レンズ群と、
少なくとも２つの後続レンズ群と
を備え、
全レンズ群が、広角端から望遠端へのズーミングの際に光軸に沿って相対的に移動し、
前記第２レンズ群と前記後続レンズ群との間隔が、前記ズーミングの際及び無限遠合焦状態から近接物体合焦状態へのフォーカシングの際に変化し、
前記後続レンズ群中に開口絞りが配置され、該開口絞りよりも物体側のレンズ群にて、前記フォーカシングを行い、
前記第１レンズ群が、３枚以上のレンズ素子で構成され、
前記第１レンズ群及び前記第２レンズ群が、それぞれ少なくとも１枚の負のパワーを有するレンズ素子を含み、
以下の条件（１）、（２）及び（４）：
０．００８＜（１／ｖｄＭＩＮ）−（１／ｖｄＭＡＸ）＜０．０２８  ・・・（１）
０．１＜｜ｍ｜／（ｆＴ−ｆＷ）＜０．４  ・・・（２）
０．２４４＜Ｄ１２Ｗ／ｆＷ＜０．４５  ・・・（４）
（ここで、
ｖｄＭＩＮ：第１レンズ群を構成するレンズ素子のｄ線に対するアッベ数の中の最小値、
ｖｄＭＡＸ：第１レンズ群を構成するレンズ素子のｄ線に対するアッベ数の中の最大値、
ｍ：広角端から望遠端へのズーミングの際の、各後続レンズ群の移動量の中の最大値、  Ｄ１２Ｗ：広角端における第１レンズ群と第２レンズ群との光軸上の間隔、
ｆＴ：望遠端における全系の焦点距離、
ｆＷ：広角端における全系の焦点距離
である）
を満足するズームレンズ系と、
前記ズームレンズ系が形成する光学像を受光して電気的な画像信号に変換する撮像素子を含むカメラ本体との接続が可能なレンズマウント部と
を備える、交換レンズ装置
に関する。
【０００９】
上記目的の１つは、以下のカメラシステムにより達成される。すなわち本発明は、
少なくとも１枚のレンズ素子で構成されたレンズ群を複数有し、無限遠に合焦し、
物体側から像側へと順に、
正のパワーを有する第１レンズ群と、
正のパワーを有する第２レンズ群と、
少なくとも２つの後続レンズ群と
を備え、
全レンズ群が、広角端から望遠端へのズーミングの際に光軸に沿って相対的に移動し、
前記第２レンズ群と前記後続レンズ群との間隔が、前記ズーミングの際及び無限遠合焦状態から近接物体合焦状態へのフォーカシングの際に変化し、
前記後続レンズ群中に開口絞りが配置され、該開口絞りよりも物体側のレンズ群にて、前記フォーカシングを行い、
前記第１レンズ群が、３枚以上のレンズ素子で構成され、
前記第１レンズ群及び前記第２レンズ群が、それぞれ少なくとも１枚の負のパワーを有するレンズ素子を含み、
以下の条件（１）、（２）及び（４）：
０．００８＜（１／ｖｄＭＩＮ）−（１／ｖｄＭＡＸ）＜０．０２８  ・・・（１）
０．１＜｜ｍ｜／（ｆＴ−ｆＷ）＜０．４  ・・・（２）
０．２４４＜Ｄ１２Ｗ／ｆＷ＜０．４５  ・・・（４）
（ここで、
ｖｄＭＩＮ：第１レンズ群を構成するレンズ素子のｄ線に対するアッベ数の中の最小値、
ｖｄＭＡＸ：第１レンズ群を構成するレンズ素子のｄ線に対するアッベ数の中の最大値、
ｍ：広角端から望遠端へのズーミングの際の、各後続レンズ群の移動量の中の最大値、  Ｄ１２Ｗ：広角端における第１レンズ群と第２レンズ群との光軸上の間隔、
ｆＴ：望遠端における全系の焦点距離、
ｆＷ：広角端における全系の焦点距離
である）
を満足するズームレンズ系、を含む交換レンズ装置と、
前記交換レンズ装置とカメラマウント部を介して着脱可能に接続され、前記ズームレンズ系が形成する光学像を受光して電気的な画像信号に変換する撮像素子を含むカメラ本体と
を備える、カメラシステム
に関する。
【発明の効果】
【００１０】
本発明によれば、サイズが小さく軽量で、結像性能に優れたズームレンズ系、該ズームレンズ系を含む交換レンズ装置及びカメラシステムを実現することができる。
【図面の簡単な説明】
【００１１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７に係るレンズ交換式デジタルカメラシステムの概略構成図
【発明を実施するための形態】
【００１２】
図１、４、７、１０、１３及び１６は、それぞれ実施の形態１、２、３、４、５及び６に係るズームレンズ系のレンズ配置図であり、いずれも無限遠合焦状態にあるズームレンズ系を表している。なお、本明細書において、実施の形態５は参考の実施の形態である。
【００１３】
各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１４】
各図において、各レンズ群の符号に付された記号（＋）及び記号（−）は、各レンズ群のパワーの符号に対応する。また各図において、最も右側に記載された直線は、像面Ｓの位置を表す。さらに図１、４、７、１０及び１６に示すように、第３レンズ群Ｇ３内には開口絞りＡが設けられており、図１３に示すように、第４レンズ群Ｇ４内には開口絞りＡが設けられている。
【００１５】
実施の形態１、４及び５に係るズームレンズ系は、物体側から像側へと順に、正のパワーを有する第１レンズ群Ｇ１と、正のパワーを有する第２レンズ群Ｇ２と、後続レンズ群である第３レンズ群Ｇ３、第４レンズ群Ｇ４及び第５レンズ群Ｇ５を備える。また実施の形態２、３及び６に係るズームレンズ系は、物体側から像側へと順に、正のパワーを有する第１レンズ群Ｇ１と、正のパワーを有する第２レンズ群Ｇ２と、後続レンズ群である第３レンズ群Ｇ３、第４レンズ群Ｇ４、第５レンズ群Ｇ５及び第６レンズ群Ｇ６を備える。
【００１６】
（実施の形態１）
第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００１７】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００１８】
第３レンズ群Ｇ３は、物体側から像側へと順に、両凹形状の第６レンズ素子Ｌ６と、物体側に凸面を向けた負メニスカス形状の第７レンズ素子Ｌ７と、物体側に凸面を向けた正メニスカス形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。
【００１９】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００２０】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００２１】
（実施の形態２）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００２２】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００２３】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡとからなる。第７レンズ素子Ｌ７と第８レンズ素子Ｌ８とは互いに接合されている。
【００２４】
第４レンズ群Ｇ４は、物体側から像側へと順に、両凸形状の第９レンズ素子Ｌ９と、物体側に凸面を向けた負メニスカス形状の第１０レンズ素子Ｌ１０と、両凸形状の第１１レンズ素子Ｌ１１とからなる。第１０レンズ素子Ｌ１０と第１１レンズ素子Ｌ１１とは互いに接合されている。
【００２５】
第５レンズ群Ｇ５は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００２６】
第６レンズ群Ｇ６は、物体側から像側へと順に、両凸形状の第１５レンズ素子Ｌ１５と、像側に凸面を向けた負メニスカス形状の第１６レンズ素子Ｌ１６と、物体側に凸面を向けた正メニスカス形状の第１７レンズ素子Ｌ１７とからなる。
【００２７】
（実施の形態３）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００２８】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００２９】
第３レンズ群Ｇ３は、物体側から像側へと順に、両凹形状の第６レンズ素子Ｌ６と、物体側に凸面を向けた正メニスカス形状の第７レンズ素子Ｌ７と、物体側に凸面を向けた負メニスカス形状の第８レンズ素子Ｌ８と、開口絞りＡとからなる。第７レンズ素子Ｌ７と第８レンズ素子Ｌ８とは互いに接合されている。
【００３０】
第４レンズ群Ｇ４は、物体側から像側へと順に、両凸形状の第９レンズ素子Ｌ９と、物体側に凸面を向けた負メニスカス形状の第１０レンズ素子Ｌ１０と、両凸形状の第１１レンズ素子Ｌ１１とからなる。第１０レンズ素子Ｌ１０と第１１レンズ素子Ｌ１１とは互いに接合されている。
【００３１】
第５レンズ群Ｇ５は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００３２】
第６レンズ群Ｇ６は、物体側から像側へと順に、両凸形状の第１５レンズ素子Ｌ１５と、像側に凸面を向けた負メニスカス形状の第１６レンズ素子Ｌ１６と、物体側に凸面を向けた正メニスカス形状の第１７レンズ素子Ｌ１７とからなる。
【００３３】
（実施の形態４）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００３４】
第２レンズ群Ｇ２は、物体側から像側へと順に、物体側に凸面を向けた負メニスカス形状の第４レンズ素子Ｌ４と、物体側に凸面を向けた平凸形状の第５レンズ素子Ｌ５とからなる。第４レンズ素子Ｌ４と第５レンズ素子Ｌ５とは互いに接合されている。
【００３５】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡと、両凸形状の第９レンズ素子Ｌ９と、物体側に凸面を向けた負メニスカス形状の第１０レンズ素子Ｌ１０と、両凸形状の第１１レンズ素子Ｌ１１とからなる。第７レンズ素子Ｌ７と第８レンズ素子Ｌ８とは互いに接合されており、第１０レンズ素子Ｌ１０と第１１レンズ素子Ｌ１１とは互いに接合されている。
【００３６】
第４レンズ群Ｇ４は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００３７】
第５レンズ群Ｇ５は、物体側から像側へと順に、両凸形状の第１５レンズ素子Ｌ１５と、像側に凸面を向けた負メニスカス形状の第１６レンズ素子Ｌ１６と、両凸形状の第１７レンズ素子Ｌ１７とからなる。
【００３８】
（実施の形態５）
第１レンズ群Ｇ１は、物体側から像側へと順に、両凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００３９】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００４０】
第３レンズ群Ｇ３は、物体側から像側へと順に、両凹形状の第６レンズ素子Ｌ６と、物体側に凸面を向けた正メニスカス形状の第７レンズ素子Ｌ７と、両凹形状の第８レンズ素子Ｌ８とからなる。第６レンズ素子Ｌ６と第７レンズ素子Ｌ７とは互いに接合されている。
【００４１】
第４レンズ群Ｇ４は、物体側から像側へと順に、開口絞りＡと、両凸形状の第９レンズ素子Ｌ９と、像側に凹面を向けた平凹形状の第１０レンズ素子Ｌ１０と、両凸形状の第１１レンズ素子Ｌ１１と、物体側に凸面を向けた正メニスカス形状の第１２レンズ素子Ｌ１２とからなる。
【００４２】
第５レンズ群Ｇ５は、物体側から像側へと順に、物体側に凸面を向けた負メニスカス形状の第１３レンズ素子Ｌ１３と、像側に凸面を向けた正メニスカス形状の第１４レンズ素子Ｌ１４と、両凹形状の第１５レンズ素子Ｌ１５と、両凸形状の第１６レンズ素子Ｌ１６と、像側に凸面を向けた負メニスカス形状の第１７レンズ素子Ｌ１７と、像側に凸面を向けた正メニスカス形状の第１８レンズ素子Ｌ１８とからなる。第１４レンズ素子Ｌ１４と第１５レンズ素子Ｌ１５とは互いに接合されている。
【００４３】
（実施の形態６）
第１レンズ群Ｇ１は、物体側から像側へと順に、物体側に凸面を向けた平凸形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。第２レンズ素子Ｌ２と第３レンズ素子Ｌ３とは互いに接合されている。
【００４４】
第２レンズ群Ｇ２は、物体側から像側へと順に、物体側に凸面を向けた負メニスカス形状の第４レンズ素子Ｌ４と、物体側に凸面を向けた正メニスカス形状の第５レンズ素子Ｌ５とからなる。第４レンズ素子Ｌ４と第５レンズ素子Ｌ５とは互いに接合されている。
【００４５】
第３レンズ群Ｇ３は、物体側から像側へと順に、両凹形状の第６レンズ素子Ｌ６と、両凸形状の第７レンズ素子Ｌ７と、両凹形状の第８レンズ素子Ｌ８と、開口絞りＡとからなる。第７レンズ素子Ｌ７と第８レンズ素子Ｌ８とは互いに接合されている。
【００４６】
第４レンズ群Ｇ４は、物体側から像側へと順に、両凸形状の第９レンズ素子Ｌ９と、物体側に凸面を向けた負メニスカス形状の第１０レンズ素子Ｌ１０と、両凸形状の第１１レンズ素子Ｌ１１とからなる。第１０レンズ素子Ｌ１０と第１１レンズ素子Ｌ１１とは互いに接合されている。
【００４７】
第５レンズ群Ｇ５は、物体側から像側へと順に、物体側に凸面を向けた負メニスカス形状の第１２レンズ素子Ｌ１２と、像側に凸面を向けた正メニスカス形状の第１３レンズ素子Ｌ１３と、両凹形状の第１４レンズ素子Ｌ１４とからなる。第１３レンズ素子Ｌ１３と第１４レンズ素子Ｌ１４とは互いに接合されている。
【００４８】
第６レンズ群Ｇ６は、物体側から像側へと順に、両凸形状の第１５レンズ素子Ｌ１５と、像側に凸面を向けた負メニスカス形状の第１６レンズ素子Ｌ１６と、物体側に凸面を向けた正メニスカス形状の第１７レンズ素子Ｌ１７とからなる。
【００４９】
実施の形態１、４及び５に係るズームレンズ系では、広角端から望遠端へのズーミングに際して、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で短くなり、第３レンズ群Ｇ３と第４レンズ群Ｇ４との間隔が広角端よりも望遠端で短くなり、第４レンズ群Ｇ４と第５レンズ群Ｇ５との間隔が広角端よりも望遠端で短くなるように、実施の形態５に係るズームレンズ系における第２レンズ群Ｇ２が光軸に沿って像側へ移動し、該第２レンズ群Ｇ２以外の各レンズ群が光軸に沿って物体側へ移動する。
【００５０】
実施の形態２及び３に係るズームレンズ系では、広角端から望遠端へのズーミングに際して、第１レンズ群Ｇ１と第２レンズ群Ｇ２との間隔が広角端よりも望遠端で長くなり、第２レンズ群Ｇ２と第３レンズ群Ｇ３との間隔が広角端よりも望遠端で短くなり、第３レンズ群Ｇ３と第４レンズ群Ｇ４との間隔が広角端よりも望遠端で短くなり、第４レンズ群Ｇ４と第５レンズ群Ｇ５との間隔が広角端よりも望遠端で短くなり、第５レンズ群Ｇ５と第６レンズ群Ｇ６との間隔が広角端よりも望遠端で短くなるように、各レンズ群が光軸に沿って物体側へ移動する。
【００５１】
実施の形態６に係るズームレンズ系では、広角端から望遠端へのズーミングに際して、第１レンズ群Ｇ１と第２レンズ群Ｇ２との間隔が広角端よりも望遠端で長くなり、第２レンズ群Ｇ２と第３レンズ群Ｇ３との間隔が広角端と望遠端とで等しくなり、第３レンズ群Ｇ３と第４レンズ群Ｇ４との間隔が広角端よりも望遠端で長くなり、第４レンズ群Ｇ４と第５レンズ群Ｇ５との間隔が広角端よりも望遠端で短くなり、第５レンズ群Ｇ５と第６レンズ群Ｇ６との間隔が広角端よりも望遠端で短くなるように、各レンズ群が光軸に沿って物体側へ移動する。特に第２レンズ群Ｇ２と第３レンズ群Ｇ３との間隔は、広角端から望遠端へのズーミングの際には変化がなく、無限遠合焦状態から近接物体合焦状態へのフォーカシングの際にのみ変化する。
【００５２】
実施の形態１〜４及び６に係るズームレンズ系では、開口絞りＡは、第３レンズ群Ｇ３とともに光軸に沿って移動し、実施の形態５に係るズームレンズ系では、開口絞りＡは、第４レンズ群Ｇ４とともに光軸に沿って移動する。また、実施の形態１〜６に係るズームレンズ系では、各レンズ群は、ズーミング時又はフォーカシング時に各々独立して光軸に沿って移動する。
【００５３】
実施の形態１〜６に係るズームレンズ系は、正のパワーを有する第１レンズ群Ｇ１と、正のパワーを有する第２レンズ群Ｇ２と、少なくとも２つの後続レンズ群とを備えている。実施の形態１〜６に係るズームレンズ系では、正のパワーを有する第１レンズ群Ｇ１で光学系を通過する光を収束させて、第２レンズ群Ｇ２及び後続レンズ群に入射する光線の高さを小さくし、インナーフォーカス方式におけるフォーカシングレンズ群の小型化及び軽量化を達成している。さらに、広角端から望遠端へのズーミングの際に第１レンズ群Ｇ１が光軸に沿って移動するので、インナーフォーカス方式におけるフォーカシングレンズ群の小型化及び軽量化がより一層効果的である。
【００５４】
実施の形態１〜６に係るズームレンズ系では、広角端から望遠端へのズーミングの際又は無限遠合焦状態から近接物体合焦状態へのフォーカシングの際に第２レンズ群Ｇ２と後続レンズ群との間隔が変化しているので、ズーミング時又はフォーカシング時に発生する収差変動が抑制され、光学性能が良好に保たれている。
【００５５】
実施の形態１〜６に係るズームレンズ系において、第１レンズ群Ｇ１は３枚以上のレンズ素子で構成されているので、ズーミング全域において色収差及び球面収差が同時に補正されている。
【００５６】
実施の形態１〜６に係るズームレンズ系では、第１レンズ群Ｇ１及び第２レンズ群Ｇ２それぞれが少なくとも１枚の負のパワーを有するレンズ素子を含んでいるので、ズーミング時の色収差変動を抑制しつつ、フォーカシング時の収差変動も同時に補正することができる。
【００５７】
実施の形態１〜６に係るズームレンズ系では、後続レンズ群中に開口絞りＡが配置されており、該開口絞りＡよりも物体側のレンズ群で無限遠合焦状態から近接物体合焦状態へのフォーカシングが行なわれるので、無限遠合焦状態から近接物体合焦状態への変化による収差変動が充分に抑制される。
【００５８】
実施の形態１〜４及び６に係るズームレンズ系では、無限遠合焦状態から近接物体合焦状態へのフォーカシングの際に、開口絞りＡよりも物体側の第２レンズ群Ｇ２が光軸に沿って物体側へ移動する。実施の形態１〜４及び６に係るズームレンズ系では第２レンズ群Ｇ２が２枚のレンズ素子で構成されているので、フォーカシングレンズ群の軽量化を図ることができる。さらにフォーカシングレンズ群である第２レンズ群Ｇ２は、接合レンズ素子のみで構成されていることが望ましい。この場合、望遠端におけるフォーカシングの際の色収差を良好に補正することが可能になる。
【００５９】
実施の形態５に係るズームレンズ系では、無限遠合焦状態から近接物体合焦状態へのフォーカシングの際に、開口絞りＡよりも物体側の第３レンズ群Ｇ３が光軸に沿って像側へ移動する。実施の形態５に係るズームレンズ系では第３レンズ群Ｇ３が２枚以上のレンズ素子で構成されているので、近接物体合焦状態での光学性能を良好に保つことができる。さらにフォーカシングレンズ群である第３レンズ群Ｇ３は、負のパワーを有していることが望ましい。この場合、フォーカシングレンズ群の軽量化及び径方向の小型化が可能になる。
【００６０】
実施の形態１〜６に係るズームレンズ系では、後続レンズ群中に開口絞りＡが配置されており、該開口絞りＡよりも像側のレンズ群が光軸と垂直方向に移動することにより、光学系が振動した際の像ぶれが光学的に補正され、像ぶれ補正時の光学性能が良好に保たれている。具体的には、実施の形態１及び４に係るズームレンズ系では、像ぶれを光学的に補正するために第４レンズ群Ｇ４全体を光軸と垂直方向に移動させ、実施の形態２、３及び６に係るズームレンズ系では、像ぶれを光学的に補正するために第５レンズ群Ｇ５全体を光軸と垂直方向に移動させ、実施の形態５に係るズームレンズ系では、像ぶれを光学的に補正するために第５レンズ群Ｇ５の一部（第１３レンズ素子Ｌ１３、第１４レンズ素子Ｌ１４及び第１５レンズ素子Ｌ１５）を光軸と垂直方向に移動させる。
【００６１】
なお、像ぶれを光学的に補正するレンズ群は後続レンズ群全体又は該後続レンズ群の一部であるサブレンズ群であり、サブレンズ群とは、１つのレンズ群が複数のレンズ素子で構成されている場合に、該レンズ群に含まれるいずれか１枚のレンズ素子又は隣り合った複数のレンズ素子の組み合わせをいう。
【００６２】
また、負のパワーを有するレンズ群にて像ぶれを光学的に補正することにより、像ぶれを光学的に補正するレンズ群の小型化が達成され、さらに該負のパワーを有するレンズ群よりも像側に少なくとも１つの正のパワーを有するレンズ群又は少なくとも１枚の正のパワーを有するレンズ素子を配置することにより、像ぶれ補正時の光学性能を良好に保つことができる。
【００６３】
実施の形態１〜６に係るズームレンズ系では、最像側に配置されたレンズ群が３枚以上のレンズ素子で構成されているので、像ぶれ補正時の光学性能を良好に保つことができる。
【００６４】
また、実施の形態１及び４に係るズームレンズ系では、第３レンズ群Ｇ３は、物体側から像側へと順に、負のパワーを有する第１サブレンズ群と、正のパワーを有する第２サブレンズ群とで構成されている。開口絞りＡは、第１サブレンズ群に隣接して配置されている。開口絞りＡを負のパワーを有する第１サブレンズ群に隣接して配置することで、開口絞りＡを通過する軸上光線高を小さくすることができ、レンズ鏡筒の外径を小さくすることができる。
【００６５】
以下、例えば実施の形態１〜６に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００６６】
例えば実施の形態１〜６に係るズームレンズ系のように、少なくとも１枚のレンズ素子で構成されたレンズ群を複数有し、無限遠に合焦し、物体側から像側へと順に、正のパワーを有する第１レンズ群と、正のパワーを有する第２レンズ群と、少なくとも２つの後続レンズ群とを備え、全レンズ群が、広角端から望遠端へのズーミングの際に光軸に沿って相対的に移動し、前記第２レンズ群と前記後続レンズ群との間隔が、前記ズーミングの際及び無限遠合焦状態から近接物体合焦状態へのフォーカシングの際に変化し、前記後続レンズ群中に開口絞りが配置され、該開口絞りよりも物体側のレンズ群にて、前記フォーカシングを行い、前記第１レンズ群が、３枚以上のレンズ素子で構成され、前記第１レンズ群及び前記第２レンズ群が、それぞれ少なくとも１枚の負のパワーを有するレンズ素子を含む（以下、このレンズ構成を、実施の形態の基本構成という）ズームレンズ系は、以下の条件（１）及び（２）を満足する。
０．００８＜（１／ｖｄＭＩＮ）−（１／ｖｄＭＡＸ）＜０．０２８  ・・・（１）
０．１＜｜ｍ｜／（ｆＴ−ｆＷ）＜０．４  ・・・（２）
ここで、
ｖｄＭＩＮ：第１レンズ群を構成するレンズ素子のｄ線に対するアッベ数の中の最小値、
ｖｄＭＡＸ：第１レンズ群を構成するレンズ素子のｄ線に対するアッベ数の中の最大値、
ｍ：広角端から望遠端へのズーミングの際の、各後続レンズ群の移動量の中の最大値、  ｆＴ：望遠端における全系の焦点距離、
ｆＷ：広角端における全系の焦点距離
である。
【００６７】
条件（１）は、第１レンズ群を構成するレンズ素子のアッベ数を規定する。条件（１）が満足される場合、光学性能、特に色収差を良好に維持しつつ、低コストでコンパクトなズームレンズ系を達成することができる。条件（１）の上限を上回ると、第１レンズ群を構成するレンズ素子が高屈折率化又は低分散化する傾向があり、低コスト化が困難になる。一方、条件（１）の下限を下回ると、第１レンズ群内において色収差を良好に補正するレンズ素子の組み合わせが得られず、ズームレンズ系全体の光学性能が低下する。
【００６８】
各実施の形態に係るズームレンズ系が、以下の条件（１）’及び（１）’’の少なくとも１つを満足する場合、前記有利な効果がさらに顕著に発揮される。
０．０１１＜（１／ｖｄMIN）−（１／ｖｄMAX）  ・・・（１）’
（１／ｖｄMIN）−（１／ｖｄMAX）＜０．０２７  ・・・（１）’’
【００６９】
条件（２）は、正のパワーを有する第１レンズ群及び正のパワーを有する第２レンズ群よりも像側に位置する後続レンズ群の、広角端から望遠端への最大移動量を規定している。条件（２）が満足される場合、光学性能を良好に維持しながら、後続レンズ群の移動量を小さく抑えることができる。条件（２）の上限を上回ると、後続レンズ群の移動量が大きくなり、ズームレンズ系全体の構成長の増加に繋がる。その結果、ズームレンズ系の小型化が不充分になる。一方、条件（２）の下限を下回ると、後続レンズ群のパワーが強くなり、製造上の誤差による性能劣化を抑えながら、光学性能を良好に維持することが困難になる。
【００７０】
各実施の形態に係るズームレンズ系が、以下の条件（２）’及び（２）’’の少なくとも１つを満足する場合、前記有利な効果がさらに顕著に発揮される。
０．１１＜｜ｍ｜／（ｆT−ｆW）  ・・・（２）’
｜ｍ｜／（ｆT−ｆW）＜０．３０  ・・・（２）’’
【００７１】
例えば実施の形態１〜６に係るズームレンズ系のように、基本構成を有するズームレンズ系は、以下の条件（３）を満足することが好ましい。
０．２＜ｆ1／ｆ2＜２．０  ・・・（３）
ここで、
ｆ1：第１レンズ群の焦点距離、
ｆ2：第２レンズ群の焦点距離
である。
【００７２】
条件（３）は、第１レンズ群の焦点距離と第２レンズ群の焦点距離との比を規定している。条件（３）が満足される場合、望遠端における球面収差及び倍率色収差が良好に補正されるとともに、レンズ全長の縮小が可能になる。条件（３）の上限を上回ると、第２レンズ群のパワーが増加し、球面収差及び倍率色収差の悪化を招く恐れがある。一方、条件（３）の下限を下回ると、第２レンズ群のパワーが減少し、第２レンズ群でフォーカシングを行う際には、フォーカス移動量が増加する。また第３レンズ群でフォーカシングを行う際には、該第３レンズ群に入射する光線高さが大きくなる。いずれの場合にも、レンズ系の小型化が困難になる。
【００７３】
各実施の形態に係るズームレンズ系が、以下の条件（３）’及び（３）’’の少なくとも１つを満足する場合、前記有利な効果がさらに顕著に発揮される。
０．３５＜ｆ1／ｆ2  ・・・（３）’
ｆ1／ｆ2＜１．８０  ・・・（３）’’
【００７４】
例えば実施の形態１〜６に係るズームレンズ系のように、基本構成を有するズームレンズ系は、以下の条件（４）を満足する。
０．２４４＜Ｄ１２Ｗ／ｆＷ＜０．４５  ・・・（４）
ここで、
Ｄ１２Ｗ：広角端における第１レンズ群と第２レンズ群との光軸上の間隔、
ｆＷ：広角端における全系の焦点距離
である。
【００７５】
条件（４）は、広角端における第１レンズ群及び第２レンズ群の光軸方向の構成長を規定している。条件（４）が満足される場合、光学性能を良好に維持しながら、第２レンズ群の径を小さくすることができる。条件（４）の上限を上回ると、ズームレンズ系全体の構成長の増加に繋がり、ズームレンズ系の小型化が困難になる。一方、条件（４）の下限を下回ると、第２レンズ群が大型化する傾向があり、レンズ鏡筒の重量化を招く。
【００７６】
各実施の形態に係るズームレンズ系が、以下の条件（４）’’を満足する場合、前記有利な効果がさらに顕著に発揮される。
Ｄ１２Ｗ／ｆＷ＜０．４００  ・・・（４）’’
【００７７】
なお、各実施の形態に係るズームレンズ系の各レンズ群は、入射光線を屈折により偏向させる屈折型レンズ素子（すなわち、異なる屈折率を有する媒質同士の界面で偏向が行われるタイプのレンズ）のみで構成してもよい。あるいは、各レンズ群は、回折作用により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等のいずれか１種類又は複数種類の組み合わせによって構成してもよい。
【００７８】
（実施の形態７）
図１９は、実施の形態７に係るレンズ交換式デジタルカメラシステムの概略構成図である。
【００７９】
本実施の形態７に係るレンズ交換式デジタルカメラシステム１００（以下、単に「カメラシステム」という）は、カメラ本体１０１と、カメラ本体１０１に着脱自在に接続される交換レンズ装置２０１とを備える。
【００８０】
カメラ本体１０１は、交換レンズ装置２０１のズームレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、前記実施の形態１〜６のいずれかに係るズームレンズ系２０２と、ズームレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図１９においては、ズームレンズ系２０２として実施の形態１に係るズームレンズ系を用いた場合を図示している。
【００８１】
本実施の形態７では、実施の形態１〜６のいずれかに係るズームレンズ系２０２を用いている。したがって、コンパクトで結像性能に優れた交換レンズ装置を低コストで実現することができる。また、本実施の形態７に係るカメラシステム１００全体の小型化及び低コスト化も達成することができる。
【００８２】
以下、前記各実施の形態に係るズームレンズ系を具体的に実施した数値実施例を説明する。後述するように、数値実施例１、２、３、４、５及び６は、それぞれ実施の形態１、２、３、４、５及び６に対応する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。なお、本明細書において、数値実施例（実施例）５は数値参考例（参考例）である。
【００８３】
図２、５、８、１１、１４及び１７は、それぞれ数値実施例１、２、３、４、５及び６に係るズームレンズ系の無限遠合焦状態の縦収差図である。
【００８４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００８５】
図３、６、９、１２、１５及び１８は、それぞれ数値実施例１、２、３、４、５及び６に係るズームレンズ系の望遠端における、像ぶれ補正を行っていない基本状態及び像ぶれ補正状態での横収差図である。
【００８６】
各横収差図において、上段３つの収差図は、望遠端における像ぶれ補正を行っていない基本状態、下段３つの収差図は、第４レンズ群Ｇ４全体（数値実施例１及び４）、又は第５レンズ群Ｇ５全体（数値実施例２、３及び６）、又は第５レンズ群Ｇ５の一部（数値実施例５：第１３レンズ素子Ｌ１３、第１４レンズ素子Ｌ１４及び第１５レンズ素子Ｌ１５）を光軸と垂直な方向に所定量移動させた望遠端における像ぶれ補正状態にそれぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を第１レンズ群Ｇ１の光軸を含む平面としている。
【００８７】
各数値実施例のズームレンズ系の像ぶれ補正状態において、望遠端における、像ぶれ補正レンズ群（第４レンズ群Ｇ４全体、又は第５レンズ群Ｇ５全体、又は第５レンズ群Ｇ５の一部）の光軸と垂直な方向への移動量（ＹT（ｍｍ））は、以下の表１に示すとおりである。像ぶれ補正角は、０．３°である。すなわち、以下に示す像ぶれ補正レンズ群の移動量は、ズームレンズ系の光軸が０．３°傾いた時の像偏心量に等しい。
【００８８】
表  １（像ぶれ補正レンズ群の移動量）
数値実施例    移動量ＹT（ｍｍ）
１            ０．３８８
２            ０．４８８
３            ０．４１３
４            ０．４５４
５            ０．４８７
６            ０．４８５
【００８９】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【００９０】
（数値実施例１）
数値実施例１のズームレンズ系は、図１に示した実施の形態１に対応する。数値実施例１のズームレンズ系の面データを表２に、各種データを表３に、単レンズデータを表４に、ズームレンズ群データを表５に、ズームレンズ群倍率を表６に示す。
【００９１】
表  ２（面データ）
面番号         r           d           nd         vd
物面             ∞
1         88.59110     5.00000     1.49700    81.6 
2       1866.97590     0.20000 
3         71.36140     1.29530     1.66998    39.2 
4         41.72250     7.00000     1.49700    81.6 
5        148.20930        可変
6         35.18610     0.80000     1.62000    62.2 
7         18.26820     3.88740     1.52250    62.2 
8        184.95110        可変
9        -82.78480     1.03710     1.70154    41.1 
10         17.70680     0.91740 
11         47.86680     1.04450     1.78590    43.9 
12         23.07600     0.89790 
13         26.27740     3.00370     1.94595    18.0 
14         60.01060     1.57280 
15(絞り)           ∞     9.48520
16         32.28200     5.78690     1.49700    81.6 
17        -33.45180     1.01010 
18         38.31890     0.84680     1.68893    31.2 
19         16.33610     0.85900 
20         17.93360     4.66210     1.49700    81.6 
21        -48.79300        可変
22         50.53120     0.80000     1.78590    43.9 
23         17.44800     1.16950 
24        -99.37330     2.54170     1.75520    27.5 
25        -12.40490     0.80000     1.72916    54.7 
26         32.07160        可変
27         20.49290     4.86940     1.49700    81.6 
28        -24.44280     4.02370 
29        -17.47130     1.42870     1.91082    35.2 
30        -62.44800     1.15690 
31         52.68520     2.01160     1.67270    32.2 
32       -297.69020          BF 
像面             ∞
【００９２】
表  ３（各種データ）
ズーム比     2.82511
広角      中間      望遠
焦点距離     102.9984  173.1202  290.9816
Ｆナンバー     4.10018   5.20030   5.99506
画角         5.9684    3.5679    2.1348
像高        10.8150   10.8150   10.8150
レンズ全長    143.4670  170.0081  203.6243
ＢＦ       15.57395  27.83342  54.71859
d5          34.9732   59.6221   76.7868 
d8           5.0923    5.9614    2.0474 
d21         15.9004    7.4883    0.9727 
d26          3.8195    0.9952    0.9911 
入射瞳位置    110.1837  244.8457  374.9426
射出瞳位置    -41.2950  -32.3185  -31.1752
前側主点位置   26.6361  -80.2824 -319.8311
後側主点位置   40.4686   -3.1121  -87.3573
【００９３】
表  ４（単レンズデータ）
レンズ     始面     焦点距離
1         1      186.9579
2         3     -152.6133
3         4      114.3457
4         6      -62.4109
5         7       38.4868
6         9      -20.7044
7        11      -57.7652
8        13       47.3679
9        16       34.0502
10        18      -41.9935
11        20       27.0125
12        22      -34.2751
13        24       18.5358
14        25      -12.1753
15        27       23.2660
16        29      -27.0427
17        31       66.6963
【００９４】
表  ５（ズームレンズ群データ）
群   始面    焦点距離  レンズ構成長    前側主点位置  後側主点位置
1      1   134.22129    13.49530        -2.05113       2.71028
2      6   103.96687     4.68740        -1.17097       0.50963
3      9    32.24658    31.12350        26.09266      53.94582
4     22   -16.76487     5.31120         1.81337       3.68891
5     27    38.87820    13.49030        -1.53578       1.78745
【００９５】
表  ６（ズームレンズ群倍率）
群   始面    広角       中間       望遠
1      1    0.00000    0.00000    0.00000
2      6    0.53702    0.61536    0.68495
3      9    0.71629    0.89563    0.98663
4     22    6.68540 -138.26104   -4.52814
5     27    0.29840   -0.01693   -0.70845
【００９６】
（数値実施例２）
数値実施例２のズームレンズ系は、図４に示した実施の形態２に対応する。数値実施例２のズームレンズ系の面データを表７に、各種データを表８に、単レンズデータを表９に、ズームレンズ群データを表１０に、ズームレンズ群倍率を表１１に示す。
【００９７】
表  ７（面データ）
面番号         r           d           nd         vd
物面             ∞
1         97.48620     5.00000     1.49700    81.6 
2               ∞     0.20000
3         77.32930     1.31480     1.66446    35.9 
4         45.14500     7.00000     1.49700    81.6 
5        207.52010        可変
6         36.71200     0.96400     1.60342    38.0 
7         21.07020     4.11480     1.51680    64.2 
8        349.90360        可変
9        -64.61530     0.80000     1.72342    38.0 
10         20.38860     0.30210 
11         28.47690     2.35310     1.94595    18.0 
12        -71.05400     0.92410     1.90366    31.3 
13         26.11680     5.60180 
14(絞り)           ∞        可変
15         46.66740     3.66870     1.49700    81.6 
16        -29.85860     0.24480 
17         25.81340     0.87370     1.68893    31.2 
18         13.27750     4.86230     1.49700    81.6 
19       -126.19620        可変
20         68.09150     1.03310     1.85135    40.1 
21         17.59550     1.17370 
22        -68.85140     3.17570     1.72825    28.3 
23         -9.75440     0.80000     1.72916    54.7 
24         54.31160        可変
25         22.94740     5.54150     1.51680    64.2 
26        -18.30460     2.84240 
27        -15.81260     0.80000     1.91082    35.2 
28        -59.08150     0.20000 
29         67.13100     1.72410     1.72342    38.0 
30       1427.73440          BF 
像面             ∞
【００９８】
表  ８（各種データ）
ズーム比     2.82511
広角      中間      望遠
焦点距離     103.0004  173.1370  290.9875
Ｆナンバー     4.19521   5.20078   5.77104
画角         5.9176    3.5000    2.1078
像高        10.8150   10.8150   10.8150
レンズ全長    142.3499  165.7428  189.8122
ＢＦ       15.54266  19.31796  39.55235
d5          31.8494   64.2689   78.0862 
d8           6.7064    5.4465    2.3430 
d14         13.0704   12.8671   12.2986 
d19         14.7790    7.3453    1.0405 
d24          4.8873    0.9823    0.9769 
入射瞳位置    117.9831  322.9090  478.2746
射出瞳位置    -37.9696  -27.9715  -26.7394
前側主点位置   22.7281 -137.8466 -508.0266
後側主点位置   39.3494   -7.3942 -101.1753
【００９９】
表  ９（単レンズデータ）
レンズ     始面     焦点距離
1         1      196.1504
2         3     -165.9525
3         4      114.4523
4         6      -83.8999
5         7       43.1989
6         9      -21.3394
7        11       21.7409
8        12      -21.0384
9        15       37.2296
10        17      -40.8467
11        18       24.4552
12        20      -28.1343
13        22       15.2596
14        23      -11.2814
15        25       20.6478
16        27      -23.9160
17        29       97.3239
【０１００】
表  １０（ズームレンズ群データ）
群   始面    焦点距離  レンズ構成長    前側主点位置  後側主点位置
1      1   129.56758    13.51480        -0.89451       3.77314
2      6    91.29683     5.07880        -0.67343       1.11387
3      9   -20.65818     9.98110         1.53790       3.53052
4     15    23.64613     9.64950         2.15953       5.23041
5     20   -16.14958     6.18250         1.64666       3.89377
6     25    42.59289    11.10800        -3.38639       0.52906
【０１０１】
表  １１（ズームレンズ群倍率）
群   始面    広角       中間       望遠
1      1    0.00000    0.00000    0.00000
2      6    0.50735    0.61885    0.68280
3      9   -1.70594   -6.47479  -45.34317
4     15   -0.43843   -0.15531   -0.02477
5     20    5.41727    7.20348  -16.54653
6     25    0.38671    0.29808   -0.17699
【０１０２】
（数値実施例３）
数値実施例３のズームレンズ系は、図７に示した実施の形態３に対応する。数値実施例３のズームレンズ系の面データを表１２に、各種データを表１３に、単レンズデータを表１４に、ズームレンズ群データを表１５に、ズームレンズ群倍率を表１６に示す。
【０１０３】
表  １２（面データ）
面番号         r           d           nd         vd
物面             ∞
1         99.04270     5.00000     1.55115    49.5 
2               ∞     0.20000
3         70.81440     1.31620     1.76182    26.6 
4         45.51740     7.00000     1.49700    81.6 
5        163.76370        可変
6         36.65590     0.80000     1.60717    40.4 
7         21.10340     3.54720     1.49700    81.6 
8        343.52210        可変
9        -66.07940     0.80000     1.71300    53.9 
10         19.76140     0.26690 
11         26.08220     2.01900     1.94595    18.0 
12        199.13930     1.45690     1.89800    34.0 
13         25.62540     4.61300 
14(絞り)           ∞        可変
15         50.32070     3.73150     1.49700    81.6 
16        -29.17550     2.28460 
17         27.88690     1.09860     1.68893    31.1 
18         13.92340     5.02680     1.49700    81.6 
19       -111.43760        可変
20         64.71150     1.24280     1.85280    39.0 
21         18.01730     1.82530 
22        -69.05960     2.85450     1.74077    27.8 
23        -10.67440     0.80000     1.72600    53.4 
24         54.96110        可変
25         22.95110     5.46640     1.51835    60.4 
26        -18.93900     2.64800 
27        -16.63950     0.80000     1.91082    35.2 
28        -62.67760     0.20000 
29         71.35330     5.62350     1.74330    49.2 
30       2108.11490          BF 
像面             ∞
【０１０４】
表  １３（各種データ）
ズーム比     2.76690
広角      中間      望遠
焦点距離     102.9992  171.3306  284.9883
Ｆナンバー     4.51811   5.20034   6.61857
画角         5.9843    3.5778    2.1658
像高        10.8150   10.8150   10.8150
レンズ全長    143.7112  170.0520  199.5460
ＢＦ       16.96438  24.28567  49.70381
d5          25.1652   58.0953   73.1492 
d8           7.8005    5.7174    1.9466 
d14         13.4144   12.8340   11.7692 
d19         14.4775    7.3193    1.3583 
d24          5.2680    1.1791    0.9977 
入射瞳位置     96.0912  250.4370  362.5095
射出瞳位置    -45.8128  -33.3555  -31.2093
前側主点位置   30.0986  -87.4894 -356.2745
後側主点位置   40.7120   -1.2787  -85.4423
【０１０５】
表  １４（単レンズデータ）
レンズ     始面     焦点距離
1         1      179.7016
2         3     -171.1043
3         4      124.3944
4         6      -83.5426
5         7       45.0764
6         9      -21.2529
7        11       31.5493
8        12      -32.8812
9        15       37.7473
10        17      -41.7007
11        18       25.2395
12        20      -29.6425
13        22       16.6970
14        23      -12.2491
15        25       20.9516
16        27      -25.0793
17        29       99.2415
【０１０６】
表  １５（ズームレンズ群データ）
群   始面    焦点距離  レンズ構成長    前側主点位置  後側主点位置
1      1   130.05742    13.51620        -1.80242       3.09866
2      6   100.09360     4.34720        -0.67623       0.82132
3      9   -21.41227     9.15580         1.69183       3.76976
4     15    24.80971    12.14150         3.05215       6.16094
5     20   -17.06015     6.72260         1.98468       4.21952
6     25    42.02028    14.73790        -2.86586       2.54081
【０１０７】
表  １６（ズームレンズ群倍率）
群   始面    広角       中間       望遠
1      1    0.00000    0.00000    0.00000
2      6    0.51266    0.61666    0.67970
3      9   -1.49221   -3.55567   -6.14770
4     15   -0.49219   -0.26391   -0.16713
5     20    6.87332   17.27525   -6.63186
6     25    0.30601    0.13178   -0.47312
【０１０８】
（数値実施例４）
数値実施例４のズームレンズ系は、図１０に示した実施の形態４に対応する。数値実施例４のズームレンズ系の面データを表１７に、各種データを表１８に、単レンズデータを表１９に、ズームレンズ群データを表２０に、ズームレンズ群倍率を表２１に示す。
【０１０９】
表  １７（面データ）
面番号         r           d           nd         vd
物面             ∞
1        120.51440     4.10180     1.48749    70.4 
2               ∞     0.20010
3         85.63570     1.90070     1.68893    31.2 
4         54.12160     6.40130     1.49700    81.6 
5        300.49570        可変
6         35.26850     0.90010     1.62004    36.3 
7         21.47210     4.20330     1.48749    70.4 
8               ∞        可変
9        -78.36840     0.80070     1.77250    49.6 
10         29.03300     1.31110 
11         34.49490     2.30120     1.94595    18.0 
12       -162.95940     0.80060     1.90366    31.3 
13         30.04010     4.26350 
14(絞り)           ∞    17.19270
15         51.39220     2.50010     1.58913    61.3 
16        -73.34390     0.15010 
17         26.75080     0.80000     1.84666    23.8 
18         14.98860     5.02380     1.58913    61.3 
19        -87.43470        可変
20         23.23170     0.80040     1.77250    49.6 
21         13.10340     2.08040 
22        -50.37300     2.05100     1.84666    23.8 
23        -17.74240     0.80040     1.77250    49.6 
24         32.73270        可変
25         22.41450     5.10110     1.51680    64.2 
26        -22.45190     3.69230 
27        -18.20830     0.80070     1.91082    35.2 
28       -312.61980     0.15000 
29         43.52060     2.30080     1.84666    23.8 
30       -637.06910          BF 
像面             ∞
【０１１０】
表  １８（各種データ）
ズーム比     2.82617
広角      中間      望遠
焦点距離     102.7209  174.1910  290.3070
Ｆナンバー     4.11397   4.86257   5.77082
画角         5.9655    3.5449    2.1271
像高        10.8150   10.8150   10.8150
レンズ全長    142.4843  171.6440  200.8351
ＢＦ       15.42012  27.89229  42.07583
d5          33.6396   57.5749   83.6685 
d8           7.4452    7.4930    2.3486 
d19         12.4788    6.1560    1.0408 
d24          2.8724    1.8996    1.0732 
入射瞳位置    115.4380  228.5110  418.3390
射出瞳位置    -33.5913  -31.0628  -29.0520
前側主点位置    2.8704 -111.9699 -476.2374
後側主点位置   39.7634   -2.5471  -89.4719
【０１１１】
表  １９（単レンズデータ）
レンズ     始面     焦点距離
1         1      247.2143
2         3     -218.8586
3         4      131.6830
4         6      -90.7942
5         7       44.0463
6         9      -27.3348
7        11       30.2670
8        12      -28.0134
9        15       51.6771
10        17      -41.5582
11        18       22.1210
12        20      -40.2950
13        22       31.4438
14        23      -14.7920
15        25       22.5787
16        27      -21.2550
17        29       48.1902
【０１１２】
表  ２０（ズームレンズ群データ）
群   始面    焦点距離  レンズ構成長    前側主点位置  後側主点位置
1      1   143.13818    12.60390        -0.61627       3.73372
2      6    87.20136     5.10340        -0.29909       1.42586
3      9    25.73933    35.14380        26.82042      56.50803
4     20   -15.70240     5.73220         2.42875       4.15321
5     25    41.35217    12.04490        -3.41568       0.71736
【０１１３】
表  ２１（ズームレンズ群倍率）
群   始面    広角       中間       望遠
1      1    0.00000    0.00000    0.00000
2      6    0.46352    0.53109    0.63144
3      9    0.74438    0.89878    1.02826
4     20    5.88911   49.44138  -10.71862
5     25    0.35317    0.05157   -0.29143
【０１１４】
（数値実施例５）
数値実施例５のズームレンズ系は、図１３に示した実施の形態５に対応する。数値実施例５のズームレンズ系の面データを表２２に、各種データを表２３に、単レンズデータを表２４に、ズームレンズ群データを表２５に、ズームレンズ群倍率を表２６に示す。
【０１１５】
表  ２２（面データ）
面番号         r           d           nd         vd
物面             ∞
1        105.89260     5.00000     1.48749    70.4 
2       -871.75260     0.20000 
3         86.18050     1.33530     1.64769    33.8 
4         47.06930     7.00000     1.49700    81.6 
5        398.98120        可変
6         43.86320     0.84520     1.67003    47.2 
7         33.22840     3.27060     1.51680    64.2 
8         70.73210        可変
9       -250.05990     0.80180     1.75520    27.5 
10         16.74320     2.88910     1.94595    18.0 
11         97.25830     0.56640 
12       -646.14680     0.93390     1.84666    23.9 
13         36.72480        可変
14(絞り)           ∞    16.80340
15         33.28620     2.28540     1.49700    81.6 
16       -557.69320     0.20000 
17               ∞     0.80000     1.72825    28.3
18         26.92120     4.26840 
19         50.35330     2.67760     1.51680    64.2 
20        -47.97910     0.20000 
21         25.91350     2.57160     1.60625    63.7 
22       1577.45080        可変
23        152.45800     0.80000     1.91082    35.2 
24         22.04310     1.45300 
25        -39.80080     2.73090     1.75211    25.0 
26        -11.67920     0.80000     1.73351    51.2 
27         79.18850     1.71970 
28         29.23330     4.89890     1.48749    70.4 
29        -17.50910     2.80320 
30        -14.92960     0.80000     1.73351    51.2 
31        -27.07170     0.20000 
32       -420.46250     1.33660     1.84666    23.8 
33       -169.62320          BF 
像面             ∞
【０１１６】
表  ２３（各種データ）
ズーム比     2.82430
広角      中間      望遠
焦点距離     103.0002  173.1132  290.9033
Ｆナンバー     4.10008   5.20084   5.77077
画角         6.0244    3.5079    2.0889
像高        10.8150   10.8150   10.8150
レンズ全長    143.9705  172.0082  193.2900
ＢＦ       19.99859  21.19552  42.76568
d5           1.6399   52.1654   63.7170 
d8          22.0268    5.8466    4.0101 
d13         13.4234   12.3236   11.2572 
d22         16.6908   10.2861    1.3490 
入射瞳位置    105.3193  281.7077  405.2532
射出瞳位置    -45.9299  -45.8110  -45.6343
前側主点位置   47.4019    7.5779 -261.1375
後側主点位置   40.9702   -1.1050  -97.6133
【０１１７】
表  ２４（単レンズデータ）
レンズ     始面     焦点距離
1         1      194.0175
2         3     -162.3104
3         4      106.6703
4         6     -211.2811
5         7      117.7646
6         9      -20.7524
7        10       21.0142
8        12      -41.0177
9        15       63.2836
10        17      -36.9670
11        19       47.9855
12        21       43.4306
13        23      -28.3749
14        25       21.0983
15        26      -13.8244
16        28       23.2619
17        30      -46.6816
18        32      335.0012
【０１１８】
表  ２５（ズームレンズ群データ）
群   始面    焦点距離  レンズ構成長    前側主点位置  後側主点位置
1      1   120.88971    13.53530         0.43112       4.98053
2      6   276.37473     4.11580        -6.03129      -4.39709
3      9   -39.41433     5.19120         3.41181       5.54983
4     14    29.28596    29.80640        25.59273      28.44233
5     23   -33.94750    17.54230        -2.59625       0.99307
【０１１９】
表  ２６（ズームレンズ群倍率）
群   始面    広角       中間       望遠
1      1    0.00000    0.00000    0.00000
2      6    0.70306    0.80676    0.83491
3      9   -4.53033   10.43326    4.05412
4     14   -0.12882    0.08056    0.25878
5     23    2.07660    2.11186    2.74725
【０１２０】
（数値実施例６）
数値実施例６のズームレンズ系は、図１６に示した実施の形態６に対応する。数値実施例６のズームレンズ系の面データを表２７に、各種データを表２８に、単レンズデータを表２９に、ズームレンズ群データを表３０に、ズームレンズ群倍率を表３１に示す。
【０１２１】
表  ２７（面データ）
面番号         r           d           nd         vd
物面             ∞
1         99.04070     5.00000     1.49700    81.6 
2               ∞     0.20000
3         82.63490     1.27930     1.67650    37.5 
4         47.00670     7.00000     1.49700    81.6 
5        240.72960        可変
6         32.92370     0.90250     1.60342    38.0 
7         22.42840     2.90130     1.51680    64.2 
8        104.45240        可変
9        -89.07080     1.40320     1.72342    38.0 
10         20.64910     0.62360 
11         26.81790     2.26110     1.94595    18.0 
12       -206.23740     0.80040     1.90366    31.3 
13         23.24830     5.84350 
14(絞り)           ∞        可変
15         43.03810     5.94120     1.49700    81.6 
16        -31.01760     0.28340 
17         26.05160     0.95960     1.68893    31.2 
18         13.96220     4.71060     1.49700    81.6 
19       -111.11380        可変
20         59.15000     1.08380     1.85135    40.1 
21         17.22700     1.15720 
22        -80.82860     3.08070     1.72825    28.3 
23        -10.07310     0.80000     1.72916    54.7 
24         42.04320        可変
25         22.81430     5.35660     1.51680    64.2 
26        -17.90450     2.58550 
27        -15.36210     2.29320     1.91082    35.2 
28        -54.17000     0.81940 
29         52.13100     2.68610     1.72342    38.0 
30        175.76020          BF 
像面             ∞
【０１２２】
表  ２８（各種データ）
ズーム比     2.82509
広角      中間      望遠
焦点距離     103.0010  173.1361  290.9877
Ｆナンバー     4.55042   5.20103   5.78474
画角         5.9189    3.4844    2.1059
像高        10.8150   10.8150   10.8150
レンズ全長    143.8189  169.6392  193.7415
ＢＦ       15.54071  15.91288  38.11589
d5          31.8584   68.7782   76.8085 
d8           5.7854    5.7854    5.7854 
d14          9.9086   10.1964   10.8095 
d19         15.7690    8.0125    0.9805 
d24          4.9846    0.9816    1.2695 
入射瞳位置    107.7453  346.4649  477.3191
射出瞳位置    -39.8070  -29.5118  -29.6517
前側主点位置   19.0634 -140.3075 -481.1668
後側主点位置   40.8179   -3.4969  -97.2462
【０１２３】
表  ２９（単レンズデータ）
レンズ     始面     焦点距離
1         1      199.2782
2         3     -163.5310
3         4      116.1383
4         6     -120.4978
5         7       54.6075
6         9      -23.0482
7        11       25.2070
8        12      -23.0824
9        15       37.2626
10        17      -45.1339
11        18       25.2731
12        20      -28.8934
13        22       15.5164
14        23      -11.0729
15        25       20.3221
16        27      -24.2250
17        29      101.5229
【０１２４】
表  ３０（ズームレンズ群データ）
群   始面    焦点距離  レンズ構成長    前側主点位置  後側主点位置
1      1   134.59933    13.47930        -0.77220       3.86432
2      6   102.60456     3.80380        -1.48193      -0.10152
3      9   -21.13523    10.93180         1.97244       4.14693
4     15    23.35858    11.89480         3.37451       7.07243
5     20   -15.72154     6.12170         1.83558       4.07403
6     25    43.01797    13.74080        -2.03649       2.40492
【０１２５】
表  ３１（ズームレンズ群倍率）
群   始面    広角       中間       望遠
1      1    0.00000    0.00000    0.00000
2      6    0.52027    0.64011    0.67387
3      9   -1.28688   -5.11971  -31.81352
4     15   -0.51858   -0.18489   -0.03380
5     20    5.87382    5.79130  -19.94996
6     25    0.37522    0.36657   -0.14956
【０１２６】
以下の表３２に、各数値実施例のズームレンズ系における各条件の対応値を示す。
【０１２７】
表  ３２（条件の対応値）
【表１】
0005789778.tif 000002
【産業上の利用可能性】
【０１２８】
本発明に係るズームレンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１２９】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ｌ１６  第１６レンズ素子
Ｌ１７  第１７レンズ素子
Ｌ１８  第１８レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  ズームレンズ系
２０３  鏡筒
２０４  レンズマウント部
【図１】
0005789778.tif 000003
【図２】
0005789778.tif 000004
【図３】
0005789778.tif 000005
【図４】
0005789778.tif 000006
【図５】
0005789778.tif 000007
【図６】
0005789778.tif 000008
【図７】
0005789778.tif 000009
【図８】
0005789778.tif 000010
【図９】
0005789778.tif 000011
【図１０】
0005789778.tif 000012
【図１１】
0005789778.tif 000013
【図１２】
0005789778.tif 000014
【図１３】
0005789778.tif 000015
【図１４】
0005789778.tif 000016
【図１５】
0005789778.tif 000017
【図１６】
0005789778.tif 000018
【図１７】
0005789778.tif 000019
【図１８】
0005789778.tif 000020
【図１９】
0005789778.tif 000021